(57)【要約】【課題】その立上り部分及載置用部分それぞれの机などの載置面に対する傾斜角度が調節できる物品を提供しようとする。【解決手段】載置面に載置されるための底板１１０と、前記底板１１０の一側縁１１０１から角度を挟むように立ち上がってなった立上板１１１とを備えていて前記立上板１１１の背面を有するハウジング１１と、前記背面から、前記ハウジング１１を、前記一側縁１１０１の載置面に対する高さが調節できるように支持する支持装置とを備えてなっており、一対の摺動手段１４を駆動して突起１８２を案内手段２１の凹溝２１１の第１の点から、順次に第３〜第Ｎ―１の点を経て、第Ｎの点に到達させ、前記底板１１０の一側縁１１０１を上へ段々と持ち上げて前記底板１１０及び前記立上板１１１それぞれの載置面に対する傾斜角度を同時に調整することができることを特徴とする支持装置付き物品１。【選択図】      図３
0003106021.tif 000002
【実用新案登録請求の範囲】
【請求項１】
平らな載置面に載置されるための底板と、前記底板の一側縁から角度を挟むように立ち上がってなった立上板とを備えていて前記底板の上下両面と、前記立上板の、前記上面と角度を挟んでいる前面及びその反対面である背面とを有するハウジングと、
前記背面から、前記ハウジングを、前記一側縁の前記載置面に対する高さが調節できるように支持する支持装置とを備えてなっており、
前記立上板に、前記前面及び背面を貫通した左右一対の長孔が上下延伸してなっており、
前記支持装置は、
上下２部分を有し、その上部分が前記立上板の前記背面とほぼ対面するように並列しており、下部分がそれに続いて前記背面と遠ざかるように延びていてその下端縁が前記載置面に当接する支持板と、
前記一対の長孔と対応するように前記支持板の前記上部分に固定され、かつそれらの上端部がそれぞれ前記一対の長孔を経由して上下移動可能に前記立上板の前面側に突入している一対の摺動手段と、
前記立上板の前面側に左右方向に延伸して前記一対の摺動手段の前記上端部を連接するように設けられている第１の横ロッドと、
それぞれ前記一対の摺動手段の間の前記第１の横ロッド上に左右移動可能に設けられており、かつそれぞれに、前記立上板の前面へ突出した突起が形成されている一対の止め手段と、
前記第１の横ロッドを下方へ付勢している第１の弾性付勢手段と、
前記一対の止め手段を互いに遠ざけるように付勢している第２の弾性付勢手段と、
それぞれ閉ループ状の凹溝が設けてある正面を有し、前記一対の止め手段と対応するように前記立上板の前記前面に設けられており、前記凹溝の最高所に位置している第１の点と、前記凹溝の最低所に位置している第２の点と、前記第１の点と前記第２の点との間の前記凹溝の前記摺動手段寄りの一側の部分に位置している第３〜第Ｎの点のＮ―２点（ただし、Ｎ≧３、かつＮは正整数であり、及びＮ＝３の時、元の第３の点と同一の点になり、Ｎ＞３の時、各点は番順に従って前記第１の点と第２の点との間に一連になる）とを備え、且つ、前記最低所の第２の点以外の各点に、前記ハウジングが前記載置面に置かれる時、前記第２の弾性付勢手段の付勢力及び前記ハウジングの自重により前記突起を押し込まれる係止穴がそれぞれ形成されており、前記一対の摺動手段が下へ駆動されると、その下動に伴って前記一対の止め手段の前記一対の突起を案内して、前記第１の点から、順次に第３〜第Ｎ―１の点を経て、第Ｎの点に到達させ、最後に前記第１の弾性付勢手段に抗して前記一対の摺動手段が下へ駆動されて前記最低所の第２の点に到達させると、前記一対の摺動手段が前記第１の弾性付勢手段の反発力及びハウジングの自重に駆動されて前記凹溝の他側の部分に沿って上へ前記第１の点に戻らせ、且つ、前記ハウジングが前記載置面に置かれたまま、前記最低所の第２の点以外の各点において前記摺動手段への駆動力が解除されると、前記突起をその係止穴に停止させることができる一対の案内手段とからなっており、
それにより、前記一対の摺動手段を駆動して前記突起を前記第１の点から、順次に第３〜第Ｎ―１の点を経て、第Ｎの点に到達させ、前記底板の前記一側縁を上へ段々と持ち上げて前記底板及び前記立上板それぞれの載置面に対する傾斜角度を同時に調整することができることを特徴とする支持装置付き物品。
【請求項２】
前記上面と前記前面とは鈍角を折り畳み不能に挟んでいることを特徴とする請求項１に記載の支持装置付き物品。
【請求項３】
前記各凹溝内の前記摺動手段寄りの側面にＮ―２個、またその下の底面に１個の上から下へのラチェット爪が形成されており、
前記第１の点の係止穴は、第１のラチェット爪の上に、前記第３〜第Ｎの点の係止穴は、ラチェット爪とラチェット爪との間に、前記第２の点の係止穴は、最後のラチェット爪の下に形成されていることを特徴とする請求項２に記載の支持装置付き物品。
【請求項４】
前記支持装置は、固定板と第２の横ロッドとを更に備えており、
前記固定板は、前記立上板の前面と前記一対の案内手段を挟むように前記立上板の前面に固定されており、かつ、前記一対の摺動手段それぞれとその対応の止め手段との間に突出した一対の案内片を有し、前記案内片に、上下に延びている第１の案内穴と第２の案内穴が上下直列に形成され、
前記第１の横ロッドは、前記一対の第２の案内穴を貫通してから前記一対の摺動手段の前記上端部の下端近くと連接し、
前記第２の横ロッドは、前記立上板の前面側に左右方向に延伸して前記一対の第１の案内穴、そして前記一対の摺動手段の前記上端部の上端近くを貫通していることを特徴とする請求項２または３に記載の支持装置付き物品。
【請求項５】
前記第１の弾性付勢手段が一対あり、かつ前記第１と第２の弾性付勢手段としてばねが使用されており、
前記第２の弾性付勢手段が、前記第１の横ロッドの前記一対の止め手段の間に圧縮されるように設けられ、
前記一対の第１の弾性付勢手段が、前記一対の摺動手段の前記止め手段と遠ざかっている側に設けられ、それらの一端が前記第２の横ロッドの前記摺動手段を貫通した突出端に固定され、他端が前記固定板の下端側に固定されていることを特徴とする請求項４に記載の支持装置付き物品。
【請求項６】
前記ハウジングは、前記立上板の周縁から直立して前記立上板と収容空間を形成している周壁を更に有し、
前記収容空間内に、コンピューターの処理ユニットが収容され、
また、前記収容空間を密閉するように前記立上板の前方に設けられているフラットパネル型表示装置と、前記表示装置から連続的に延伸するように前記ハウジングの前記底板の上方に設けられているキーボード装置とを更に備えてコンピューターとなっていることを特徴とする請求項１〜５のいずれかの一項に記載の支持装置付き物品。
【考案の詳細な説明】
【技術分野】
【０００１】
本考案は、支持装置付き物品に関し、特に支持装置付きの例えばオールインワンの卓上型パソコンなどの物品に関する。
【背景技術】
【０００２】
従来の卓上型のパソコン２は、図１に示すように、主としてホストコンピューター２５とフラットパネル型表示装置２２とキーボード２３とマウス２４との四つの独立体装置からなっている。また、前記フラットパネル型表示装置２２、前記キーボード２３及び前記マウス２４は、それぞれ電線を介して前記ホストコンピューター２５と電気的に接続している。前記ホストコンピューター２５及び前記フラットパネル型表示装置２２は、それぞれ電線を介して電源（図示せず）と電気的に連接している。
【０００３】
従来の卓上型のパソコン２は、前記のように、電気連接用の電線が多くて整理し難いという欠点があるので、最近は、前記ホストコンピューター２５とフラットパネル型表示装置２２とキーボード２３とマウス２４との四つの装置が一つのハウジング内に整合されていて外見からみればすっきりとした新規な卓上型のパソコン（図示せず）が出てきている。
【０００４】
この新規な卓上型のパソコンは、例えば側面視が略Ｌ字形である一体成形のハウジングを有し、前記ハウジングの立上り部分にフラットパネル型表示装置が設けられ、机などの載置面に安置される部分にマウスを含めたキーボード装置が設けられている。また、コンピューターの処理ユニットなどの部品は、例えば前記立上り部分や前記載置用部分内に収容されている。
【考案の開示】
【考案が解決しようとする課題】
【０００５】
しかしながら、このようなオールインワンの新規な卓上型パソコンは、そのハウジングが一体に成形されていて前記立上り部分の前記載置用部分に対する角度が変化できないので、前記載置用部分にあるキーボード装置はもちろん、前記立上り部分にある前記フラットパネル型表示装置の机などの載置面に対する傾斜角度が調節できないという欠点がある。
【０００６】
上記に鑑みて、本考案の目的は、その立上り部分及載置用部分それぞれの机などの載置面に対する傾斜角度が調節できる物品を提供しようとすることにある。
【課題を解決するための手段】
【０００７】
前記目的を達成するために、考案者は、繰り返し鋭意研究した結果、物品の背面から前記物品を、その立上り部分及び載置用部分それぞれの載置面に対する傾斜角度が調節できるように支持する支持装置を案出した。ここで、物品とは前記オールインワンの卓上型パソコンに限らず、前記立上り部分を構成する立上板と前記載置用部分を構成する底板とを主要構造材として有するハウジングがあり、かつその立上り部分（立上板）及びその載置用部分、特にその立上り部分の前記載置面に対する傾斜角度に調節の必要がある物品であればよい。例えば、側面視が鈍角三角形であるハウジングの上面（斜辺）にフラットパネル型表示装置が設けられたモニター、または前記上面を投光面とされた照明装置などが挙げられる。
【０００８】
上記に基づき、考案者は、本考案の支持装置付き物品を提供する。この支持装置付き物品は、平らな載置面に載置されるための底板と、前記底板の一側縁から角度を挟むように立ち上がってなった立上板とを備えていて前記底板の上下両面と、前記立上板の、前記上面と角度を挟んでいる前面及びその反対面である背面とを有するハウジングと、前記背面から、前記ハウジングを、前記一側縁の前記載置面に対する高さが調節できるように支持する支持装置とを備えてなっており、前記立上板に、前記前面及び背面を貫通した左右一対の長孔が上下延伸してなっており、前記支持装置は、上下２部分を有し、その上部分が前記立上板の前記背面とほぼ対面するように並列しており、下部分がそれに続いて前記背面と遠ざかるように延びていてその下端縁が前記載置面に当接する支持板と、前記一対の長孔と対応するように前記支持板の前記上部分に固定され、かつそれらの上端部がそれぞれ前記一対の長孔を経由して上下移動可能に前記立上板の前面側に突入している一対の摺動手段と、前記立上板の前面側に左右方向に延伸して前記一対の摺動手段の前記上端部を連接するように設けられている第１の横ロッドと、それぞれ前記一対の摺動手段の間の前記第１の横ロッド上に左右移動可能に設けられており、かつそれぞれに、前記立上板の前面へ突出した突起が形成されている一対の止め手段と、前記第１の横ロッドを下方へ付勢している第１の弾性付勢手段と、前記一対の止め手段を互いに遠ざけるように付勢している第２の弾性付勢手段と、それぞれ閉ループ状の凹溝が設けてある正面を有し、前記一対の止め手段と対応するように前記立上板の前記前面に設けられており、前記凹溝の最高所に位置している第１の点と、前記凹溝の最低所に位置している第２の点と、前記第１の点と前記第２の点との間の前記凹溝の前記摺動手段寄りの一側の部分に位置している第３〜第Ｎの点のＮ―２点（ただし、Ｎ≧３、かつＮは正整数であり、及びＮ＝３の時、元の第３の点と同一の点になり、Ｎ＞３の時、各点は番順に従って前記第１の点と第２の点との間に一連になる）とを備え、且つ、前記最低所の第２の点以外の各点に、前記ハウジングが前記載置面に置かれる時、前記第２の弾性付勢手段の付勢力及び前記ハウジングの自重により前記突起を押し込まれる係止穴がそれぞれ形成されており、前記一対の摺動手段が
下へ駆動されると、その下動に伴って前記一対の止め手段の前記一対の突起を案内して、前記第１の点から、順次に第３〜第Ｎ―１の点を経て、第Ｎの点に到達させ、最後に前記第１の弾性付勢手段に抗して前記一対の摺動手段が下へ駆動されて前記最低所の第２の点に到達させると、前記一対の摺動手段が前記第１の弾性付勢手段の反発力及びハウジングの自重に駆動されて前記凹溝の他側の部分に沿って上へ前記第１の点に戻らせ、且つ、前記ハウジングが前記載置面に置かれたまま、前記最低所の第２の点以外の各点において前記摺動手段への駆動力が解除されると、前記突起をその係止穴に停止させることができる一対の案内手段とからなっていることを特徴とする。なお、前記角度は、折畳み可能に構成されても良く、折畳み不能に構成されても良いが、折畳み不能に構成された場合、鈍角が好ましい。
【考案の効果】
【０００９】
それにより、前記一対の摺動手段を駆動して前記突起を前記第１の点から、順次に第３〜第Ｎ―１の点を経て、第Ｎの点に到達させ、前記底板の前記一側縁を上へ段々と持ち上げて前記底板及び前記立上板それぞれの載置面に対する傾斜角度を同時に調整することができる。
【００１０】
すなわち、この構成による支持装置付き物品は、前記支持装置により、前記一側縁が自在に挙げられるので、前記底板及び前記立上板それぞれの載置面に対する傾斜角度が調整できるようになる。
【００１１】
例えば、前記物品がオールインワンの卓上型パソコンである場合、前記フラットパネル型表示装置の前記載置面に対する傾斜角度が調節可能となり、前記物品が前記のような側面視が鈍角三角形である照明装置である場合、前記投光面の載置面に対する傾斜角度が調節可能となる。
【考案を実施するための最良の形態】
【００１２】
以下、オールインワンの卓上型パソコンを例として本考案の支持装置付き物品の好ましい実施形態を詳しく説明する。
【００１３】
図２は本考案の支持装置付き物品の好ましい実施形態を示す斜視図であり、図３は該実施形態の分解斜視図である。
【００１４】
図２及び図３に示すように、この支持装置付き物品１は、側面視が略Ｌ字形である一体成形のハウジング１１を有している。前記ハウジング１１は、図３に示すように、机などの平らな載置面に載置されるための底板１１０と、前記底板１１０の一側縁１１０１から鈍角を挟むように折畳不能に立ち上がってなった立上板１１１と、前記立上板１１１の周縁から直立して前記立上板１１１と収容空間１１３を形成している周壁１１２とを備えてなっている。
【００１５】
前記底板１１０は、上下両面を有している。前記立上板１１１は、前記底板１１０の上面と鈍角を挟んでいる前面及びその反対面である背面を有している。前記周壁１１２は、前記立上板１１１の前面側へ直立している。
【００１６】
また、前記収容空間１１３内に、コンピューターの処理ユニット（図示せず）が収容され、前記立上板１１１の前方に、図２に示すように、フラットパネル型表示装置１０１が、前記収容空間１１３を密閉するように設けられ、前記底板１１０の上方に、キーボード装置１０２が、前記表示装置１０１から連続的に延伸するように設けられている。
【００１７】
すなわち、この実施形態の支持装置付き物品１は、図２のようなオールインワンの卓上型パソコンとなっている。
【００１８】
前記フラットパネル型表示装置１０１は、前記オールインワンの卓上型パソコンの立上り部分に位置し、前記キーボード装置１０２は前記オールインワンの卓上型パソコンの載置用部分に位置している。
【００１９】
本考案の特徴は前記オールインワンの卓上型パソコンの背面に、前記背面から、前記パソコンを、その立上り部分及び載置用部分それぞれの載置面に対する傾斜角度が調節できるように支持する支持装置が更に設けられていることにあり、言い換えれば、前記ハウジング１１を、前記底板１１０の前記一側縁１１０１の前記載置面に対する高さが調節できるように支持する支持装置が更に設けられていることにある。
【００２０】
もっと詳しく説明すると、図３に示すように、前記立上板１１１には、前記立上板１１１の前面及び背面を貫通した左右一対の長孔１１４，１１４が上下延伸してなっている。
【００２１】
前記支持装置は、支持板１３と、一対の摺動手段１４，１４と、固定板１５と、第１の横ロッド１６と、第２の横ロッド１７と、一対の止め手段１８，１８と、一対の第１の弾性付勢手段１９，１９と、第２の弾性付勢手段２０と、一対の案内手段２１，２１とからなっている。
【００２２】
前記支持板１３は、上下２部分を有し、その上部分が前記立上板１１１の前記背面とほぼ対面するように並列しており、下部分がそれに続いて前記背面と遠ざかるように延びていてその下端縁が前記載置面に当接する。また、前記支持板１３の前記上部分の端縁の近くに、取っ手としての通孔１３１が左右延伸してなっている。
【００２３】
前記一対の摺動手段１４，１４は、図３及び図４（背面図）に示すように、それぞれ上下２端部１４２，１４１を有している。前記上下２端部１４２，１４１の背面は、それぞれ連接板１３２を介して複数のねじ１３３によって前記支持板１３の前記上部分に固定されている。また、前記一対の摺動手段１４，１４の前記上端部１４２，１４２は、それぞれ前記一対の長孔１１４，１１４を経由して上下移動可能に前記立上板１１１の前面側に突入している。
【００２４】
前記固定板１５は、前記立上板１１１の前面と距離を開けるように前記立上板１１１の前面に固定されており、かつ、前記一対の長孔１１４，１１４と対応している左右一対の通孔１５１，１５１が上下に延伸して形成されている。
【００２５】
また、前記左右一対の通孔１５１，１５１の内側にある開口縁に、それぞれ案内片１５２が前記立上板１１１の前面へ直立してなっている。前記各案内片１５２に、上下に延びている第１の案内穴１５３と第２の案内穴１５４が上下直列に形成されている。
【００２６】
すなわち、前記一対の摺動手段１４，１４は、図４に示すように、それぞれ前記一対の案内片１５２，１５２の外側に位置し、かつ前記対応の案内片１５２に沿って上下移動されることができる。
【００２７】
そして、前記第１の横ロッド１６は、前記立上板１１１の前面側に左右方向に延伸して前記下方にある一対の第２の案内穴１５４，１５４を貫通してから前記一対の摺動手段１４，１４の前記上端部１４２の下端近く１４４と連接している。
【００２８】
前記第２の横ロッド１７は、前記立上板１１１の前面側に左右方向に延伸して前記上方にある一対の第１の案内穴１５３，１５３、そして前記一対の摺動手段１４，１４の前記上端部１４２の上端近く１４３を貫通して突出している。
【００２９】
前記一対の止め手段１８，１８は、それぞれ前記一対の案内片１５２，１５２の間の前記第１の横ロッド１６上に左右移動可能に設けられており、かつそれぞれの背面１８１に、前記立上板１１１の前面へ突出した略円形の突起１８２が形成されている。
【００３０】
前記一対の第１の弾性付勢手段１９，１９として、本実施形態においては、それぞれ引張ばねが使用され、かつ前記一対の摺動手段１４，１４の、前記止め手段１８及び前記案内片１５２と遠ざかっている側に設けられている。前記一対の第１の弾性付勢手段１９，１９は、それらの一端が前記第２の横ロッド１７の前記摺動手段１４を貫通した突出端に固定され、他端が前記固定板１５の下端側に固定されている。
【００３１】
前記第１の弾性付勢手段１９，１９の設置によって、前記第１及び第２の横ロッド１６，１７、前記一対の摺動手段１４，１４、前記第１の横ロッド１６上に設けられた一対の止め手段１８，１８がいつでも下方へ引っ張られて付勢されている。
【００３２】
前記第２の弾性付勢手段２０としては、本実施形態において圧縮ばねが使用され、かつ前記第１の横ロッド１６の前記一対の止め手段１８，１８の間に圧縮されるように設けられている。
【００３３】
前記第２の弾性付勢手段２０の設置によって、前記一対の止め手段１８，１８がいつでも互いに遠ざかる方向へ押されて付勢されている。
【００３４】
そして、前記一対の案内手段２１，２１は、前記一対の止め手段１８，１８の背面と対応するように前記立上板１１１の前記前面に設けられ、かつそれぞれ、前記対応の止め手段１８の前記突起１８２を収容している閉ループ状の凹溝２１１が設けてある正面を有している。
【００３５】
前記各案内手段２１の閉ループ状の凹溝２１１は、図５〜図７に示すように、前記凹溝２１１の最高所に位置している第１の点Ａと、前記凹溝２１１の最低所に位置している第２の点Ｂと、前記第１の点Ａと前記第２の点Ｂとの間の前記凹溝２１１の前記摺動手段（１４）寄りの一側（外側）の部分２１２に位置している第３〜第Ｎの点のＮ―２点（ただし、Ｎ≧３、かつＮは正整数であり、及びＮ＝３の時、元の第３の点と同一の点になり、Ｎ＞３の時、各点は番順に従って前記第１の点と第２の点との間に一連になる）Ｃ‥とを備えている。
【００３６】
本実施形態においては、Ｎは４であり、すなわち前記第１の点Ａと前記第２の点Ｂとの間に第３の点Ｃと第４の点Ｄとの２点を有している。
【００３７】
そして、前記各点Ａ〜Ｄ（Ｂ除外）に、前記ハウジング１１が前記載置面に置かれる時、前記第２の弾性付勢手段２０の付勢力及び前記ハウジング１１の自重により前記突起１８２を押し込まれる係止穴がそれぞれ形成されている。
【００３８】
詳しく説明すると、前記各凹溝（２１１）内の前記摺動手段（１４）寄りの側面に２個、またその下の底面に１個の上から下へのラチェット爪２１３，２１３，２１５が形成されている。前記第１の点Ａの係止穴は、第１のラチェット爪２１３の上に、前記第３と第４の点の係止穴Ｃ，Ｄは、それぞれ、第１のラチェット爪２１３と第２のラチェット爪２１３との間及び第２のラチェット爪２１３と第３のラチェット爪２１５との間に形成されている。
【００３９】
それにより、図８〜図１１に示すように、前記支持板１３の前記第１の弾性付勢手段１９に抗して下へ押されることにより、前記一対の摺動手段１４，１４が下へ駆動されると、その下動に伴って前記一対の止め手段１８，１８が下へ移動され、この時、前記一対の案内手段２１，２１によって前記一対の止め手段１８，１８の前記一対の突起１８２，１８２を案内して、前記突起１８２を前記第１の点Ａ（図７を参照）から、順次に第３及び第４の点Ｃを経て、Ｄに到達させることができる（図９及び図１０を参照）。
【００４０】
本実施形態においては、前記突起１８２が前記第１の点Ａに位置する時、図１２に示すように、前記ハウジング１１の前記底板１１０の前記一側縁１１０１が前記載置面に接触している。前記突起１８２の下への移動に伴って図１３に示すように、前記一側縁１１０１の前記載置面に対する高さが段々高くなる。
【００４１】
前記突起１８２が前記Ｄに位置される時、更に、前記支持板１３の前記第１の弾性付勢手段１９に抗して下へ押されて該第２の点Ｂに至らせられると（図１１参照）、前記一対の摺動手段１４，１４が前記第２の弾性付勢手段２０の付勢力及び前記ハウジング１１の自重により上へ駆動されると、前記突起１８２を前記凹溝２１１の他側の部分２１４（内側）に沿って前記第１の点Ａに戻らせ、また、前記ハウジング１１が前記載置面に置かれたまま、各点Ａ〜Ｄにおいて前記摺動手段１４への駆動力が解除されると、前記第２の弾性付勢手段２０の付勢力及び前記ハウジング１１の自重により前記突起１８２をその係止穴に停止させることができる。
【００４２】
もちろん、前記ハウジング１１が一旦前記載置面を離れる時、前記突起１８２が前記第１の弾性付勢手段１９の付勢力により前記最低点の第２の点に戻るように駆動される。
【００４３】
すなわち、前記支持板１３を下へ移動させて前記一対の摺動手段１４，１４を駆動して前記突起１８２を前記第１の点Ａから、順次に第３〜第Ｎの点Ｃを経て、Ｄに到達させ、前記底板１１０の前記一側縁１１０１を上へ段々と持ち上げて前記底板１１０（キーボード装置１０２）及び前記立上板１１１（表示装置１０１）それぞれの前記載置面に対する傾斜角度を同時に調整することができる。
【００４４】
上記実施形態においてオールインワンの卓上型パソコンを例として本考案の支持装置付き物品を説明したが、それに限らず、本考案の精神とクレームに述べられた範囲で、前記した支持装置が任意なものに応用されることができる。
【産業上の利用可能性】
【００４５】
叙上のように、前記支持装置付き物品は、前記支持装置を備えているので、前記底板及び前記立上板それぞれの載置面に対する傾斜角度が調整できるようになる。例えば、前記物品がオールインワンの卓上型パソコンである場合、前記フラットパネル型表示装置の前記載置面に対する傾斜角度が調節可能となる。
【図面の簡単な説明】
【００４６】
【図１】従来の卓上型パソコンの一例を示す斜視図。
【図２】本発明の支持装置付き物品の好ましい実施形態を示す斜視図。
【図３】前記実施形態の分解斜視図。
【図４】前記実施形態の一部の背面図。
【図５】前記実施形態における一対の案内手段の一方を示す斜視図。
【図６】前記実施形態における一対の案内手段の他方を示す斜視図。
【図７】前記図５の縦断面図。
【図８】前記実施形態における突起が第１の点に位置している時の説明図。
【図９】前記実施形態における突起が第３の点に位置している時の説明図。
【図１０】前記実施形態における突起が第４の点に位置している時の説明図。
【図１１】前記実施形態における突起が第２の点に位置している時の説明図。
【図１２】図８の状態下で前記実施形態における底板の一側縁の位置を示す説明図。
【図１３】図８から図１０までの状態下で前記実施形態における底板の一側縁の位置の変化を示す説明図。
【符号の説明】
【００４７】
１…支持装置付き物品、１０１…表示装置、１０２…キーボード装置、１１…ハウジング、１１０…底板、１１０１…一側縁、１１１…立上板、１１２…周壁、１１３…収容空間、１１４…長孔、１３…支持板、１３１…通孔、１３２…連接板、１３３…ねじ、１４…摺動手段、１４１…下端部、１４２…上端部、１４３…上端部の上端近く、１４４…上端部の下端近く、１５…固定板、１５１…通孔、１５２…案内片、１５３…第１の案内穴、１５４…第２の案内穴、１６…第１の横ロッド、１７…第２の横ロッド、１８…止め手段、１８１…背面、１８２…突起、１９…第１の弾性付勢手段、２０…第２の弾性付勢手段、２１…案内手段、２１１…凹溝、２１２…凹溝の摺動手段寄りの一側の部分、２１３…ラチェット爪、２１４…凹溝の他側の部分、Ａ…第１の点、Ｂ…第２の点、Ｃ…第３の点、Ｄ…第４の点。
【図１】
0003106021.tif 000003
【図２】
0003106021.tif 000004
【図３】
0003106021.tif 000005
【図４】
0003106021.tif 000006
【図５】
0003106021.tif 000007
【図６】
0003106021.tif 000008
【図７】
0003106021.tif 000009
【図８】
0003106021.tif 000010
【図９】
0003106021.tif 000011
【図１０】
0003106021.tif 000012
【図１１】
0003106021.tif 000013
【図１２】
0003106021.tif 000014
【図１３】
0003106021.tif 000015